(57)【要約】【課題】本体前面上部に配置される空気の吹出口を、見栄えよくスムーズに自動的に開閉できるシャッタを備えた空気調和機を提供することを目的とする。【解決手段】上下に移動し吹出口６を開閉するシャッタ９と、シャッタ９のピン９ａを案内するレール溝１１ａ，１２ａを備え、吹出口６の左右に設けられたシャッタ用レール１１，１２と、ピニオン１６により上下に昇降し、上部と下部との左右端部にスライドピンを設けたラック２０と、スライドピンを案内するレール溝を備えてラックを上下移動可能に保持するラックの左右側部に設けたラック用レール１８，１９と、ラック２０の上部左右端部に形成したラック側連結部と、ラック側連結部に相対して、シャッタ９の下部裏面に形成されたシャッタ側連結部と、ラック側取付軸がラック側連結部と連結し、シャッタ側取付軸が相対するシャッタ側連結部と連結する左右２個のカムとを備えたことを特徴とする。【選択図】図３
2008157575.tif 000002
【特許請求の範囲】
【請求項１】
送風ファンにより下部の吸込み口から吸い込んだ室内空気を熱交換して上部の吹出口から室内へと吹出す空気調和機であって、
上下に移動し前記吹出口を自動的に開閉し、上部左右端部にピンを設けたシャッタと、
前記シャッタの前記ピンを案内するレール溝を備え、前記吹出口の左右に設けられた二つのシャッタ用レールと、
モータにより回転するピニオンにより上下に昇降し、上部と下部との左右端部にスライドピンを設けたラックと、
前記スライドピンを案内するレール溝を備えて前記ラックを上下移動可能に保持する前記ラックの左右側部に設けたラック用レールと、
前記ラックの上部左右端部に形成したラック側連結部と、
前記ラック側連結部に相対して、前記シャッタの下部裏面に形成されたシャッタ側連結部と、
一方のラック側取付部が前記ラック側連結部と連結し、他方のシャッタ側取付部が相対する前記シャッタ側連結部と連結する左右２個のカムとを備えたことを特徴とする空気調和機。
【請求項２】
前記ラック側連結部間の寸法及び前記シャッタ側連結部間の寸法を、前記シャッタの左右幅の１／４〜２／４の範囲にしたことを特徴とする請求項１記載の空気調和機。
【請求項３】
前記シャッタ用レールのレール溝の上部に形成され、上方に行くにしたがって前方へ傾斜した傾斜部と、
前記カムの前記ラック側取付部と前記シャッタ側取付部との間に形成され、前記ラック側取付部及び前記シャッタ側取付部より外側に飛び出した押え軸と、
前記押え軸が前方へ出てこないように押えるとともに、上部の部分を上方に行くに従って前面側に傾斜させた開放傾斜部を有する左右の押え軸用の前面壁とを備えたことを特徴とする請求項１又は請求項２記載の空気調和機。
【請求項４】
前記シャッタの下部に段付部を形成し、前記シャッタが閉じた時に、前記シャッタの段付部より上の部分が前記前面パネルと略同一面となるようにしたことを特徴とする請求項１乃至３のいずれかに記載の空気調和機。
【請求項５】
前記段付部は、下方段付部と、前記下方段付部よりさらに奥に深い上部段付部とを有することを特徴とする請求項４記載の空気調和機。
【請求項６】
前記モータにより駆動され、前記ラックのギアに噛み合う歯を有する前記ピニオンを前記ラックの左右幅内に設けることを特徴とする請求項１乃至５のいずれかに記載の空気調和機。
【発明の詳細な説明】
【技術分野】
【０００１】
この発明は、吹出口にシャッタを設けた空気調和機に関するものである。
【背景技術】
【０００２】
空気吹出口の開口面から外方へルーバが突出せず、かつ、目障りな運動をすることのないルーバを備えた空気調和機を提供するために、空気吹出口の開口面の両側下端から上方に向かいかつ上部近傍においてゆるやかに後方へ向って所要の長さ設けられた一連の溝体と、同溝体に両側が係合して上下前後移動を行うと共にその前端側の上下移動が空気吹出口を開閉する左右方向に剛で上下前後方向に可撓性を有した可撓ルーバと、同ルーバを溝体に沿って移動・停止する駆動手段とを具備する空気調和機が提案されている（例えば、特許文献１参照）。
【０００３】
また、電子機器における開口部を開閉するドアの上下移動に際し、ドアの上方押上げ時開口部に対して閉蓋し、ドア前面とキャビネット本体の前面とを同一面になすようにガイドピンをガイド溝に沿わせて案内すると共にドア開放時ドアが下降するときの移動速度をダンパ手段で制御されるキャビネットのドアの上下移動装置が提案されている（例えば、特許文献２参照）。
【特許文献１】特開平５−１４１７６５号公報（第２頁〜３頁、図４〜図５）
【特許文献２】実開平５−２５５１５号公報（第５頁〜６頁、図１〜図４）
【発明の開示】
【発明が解決しようとする課題】
【０００４】
しかしながら、上記特許文献１のように、蛇腹などの可撓性のルーバで吹出口を開閉するものでは、ルーバが高価になり、また、蛇腹は見栄えがさほどよい物ではなく、上下移動時に音も生じる可能性があるという課題があった。
【０００５】
また、上記特許文献２のように、キャビネット本体の前面と同一面になって開口部を塞ぐ開閉ドアを備えたものでは、具体的に開閉ドアを自動的に上下させる駆動構成について記載がなかった。
【０００６】
この発明は、上記のような課題を解決するためになされたもので、本体前面上部に配置される空気の吹出口を、見栄えよくスムーズに自動的に開閉できるシャッタを備えた空気調和機を提供することを目的とする。
【課題を解決するための手段】
【０００７】
この発明に係る空気調和機は、送風ファンにより下部の吸込み口から吸い込んだ室内空気を熱交換して上部の吹出口から室内へと吹出す空気調和機であって、上下に移動し吹出口を自動的に開閉し、上部左右端部にピンを設けたシャッタと、シャッタのピンを案内するレール溝を備え、吹出口の左右に設けられた二つのシャッタ用レールと、モータにより回転するピニオンにより上下に昇降し、上部と下部との左右端部にスライドピンを設けたラックと、スライドピンを案内するレール溝を備えてラックを上下移動可能に保持するラックの左右側部に設けたラック用レールと、ラックの上部左右端部に形成したラック側連結部と、ラック側連結部に相対して、シャッタの下部裏面に形成されたシャッタ側連結部と、一方のラック側取付部がラック側連結部と連結し、他方のシャッタ側取付部が相対するシャッタ側連結部と連結する左右２個のカムとを備えたことを特徴とする。
【発明の効果】
【０００８】
この発明に係る空気調和機は、本体前面上部に配置される空気の吹出口を、見栄えよくスムーズに自動的に開閉できる。
【発明を実施するための最良の形態】
【０００９】
実施の形態１．
以下、この発明の実施の形態１による空気調和機について、図１乃至図１４により説明する。尚、床置形空気調和機を空気調和機の一例として説明する。
【００１０】
図１乃至図１４は実施の形態１を示す図で、図１は床置形空気調和機１００を示す斜視図、図２は床置形空気調和機１００の部分正面図（（ａ）はシャッタ９を閉じた状態、（ｂ）はシャッタ９を開いた状態）、図３は床置形空気調和機１００の内部部品や吸込グリル２などを省略して示す分解斜視図、図４は床置形空気調和機１００のルーバユニット１０と後パネル１５の構成を説明する斜視図、図５は床置形空気調和機１００のラック２０を示す正面図、図６は床置形空気調和機１００のラック２０を裏側から見た斜視図、図７は床置形空気調和機１００のラック２０とピニオン１６の噛合いを説明する要部斜視図、図８は床置形空気調和機１００のモータ１７とピニオン１６の取り付けを説明する斜視図、図９は床置形空気調和機１００のラック２０とシャッタ９を連結するカム２１を示す図（（ａ）は正面図、（ｂ）は斜視図）、図１０は床置形空気調和機１００のラック２０とカム２１との連結部を示す要部斜視図、図１１は床置形空気調和機１００のシャッタ９を裏側から見た斜視図、図１２は床置形空気調和機１００のシャッタ用レール１１，１２とラック用レール１８，１９を説明する斜視図、図１３は床置形空気調和機１００のシャッタ９下部とカム２１とラック用レール１８による動作を説明する要部側断面図、図１４は床置形空気調和機１００の運転によるシャッタ９の開閉動作を説明するフローチャートである。
【００１１】
図１において、床置形空気調和機１００の室内ユニットである空気調和機本体１は、送風ファン５の回転により前面下方に設けた吸込グリル２の左右側面に開設した吸込口３（図１では片側２個）から、塵埃を除去するフィルタ４を介して吸い込んだ室内空気を、図示しない内部の熱交換器により冷却あるいは加熱して上部の吹出口６（図１ではシャッタ９で隠れている）から室内へと吹出し、室内の冷房や暖房を行うものである。
【００１２】
また、吹出口６の下と吸込グリル２の間に前面パネル７を備え、この前面パネル７の下部に床置形空気調和機１００の運転を制御するコントローラ部８が設けられている。
【００１３】
そして、吹出口６には、後述する昇降機構により図２（ａ），（ｂ）に示すように、床置形空気調和機１００の運転停止時には、前面パネル７とほぼ前面が同一面で吹出口６を閉じて意匠性がよく、異物が吹出口６に入らないようにできるとともに、床置形空気調和機１００を運転する時には自動的に下がり、前面パネル７の後方に隠れて吹出口６を開く自動開閉のシャッタ９を備えている。
【００１４】
また、この図１に示す例では、前面パネル７だけでなく、吸込グリル２の吸込口３を左右両側面に設けて前方から見て目立たないようにしているので、シャッタ９が閉じた状態では、図１、図２（ａ）のように空気調和機本体１の前面に凹凸が少なく見栄えが非常によいものが得られる。
【００１５】
図２に示すように、シャッタ９と前面パネル７の左右に、吸込グリル２の側面の前後幅と同じ幅のサイドカバー１３，１４を設けてさらに意匠性をよくしている。
【００１６】
図２（ｂ）に示すように、吹出口６はルーバユニット１０で構成される。ルーバユニット１０には風向を上下に偏向する複数の水平ルーバ１０ａと、その後方に風向を左右に偏向する複数の垂直ルーバ（図示せず）が取り付けられ、この水平ルーバ１０ａと垂直ルーバの傾きを変えることで吹出口６から吹き出だす送風方向を使用者の好みに合わせて調節できるようにしている。
【００１７】
図３により、内部の部品以外の構成を説明する。空気調和機本体１のキャビネット１ａは、左右側面、上面、裏面、台座により構成されている。
【００１８】
ルーバユニット１０は、キャビネット１ａに取り付けられる。ルーバユニット１０の左右両側には、シャッタ９を開閉させるように上下に案内するほぼ左右対称形状で上下に長いシャッタ用レール１１，１２がネジ締結等により取り付けている。
【００１９】
このシャッタ用レール１１，１２のそれぞれ内側には、シャッタ９の左右側面上部に設けた１対のピン９ａが入り込んで上下にスライドするレール溝１１ａ，１２ａが形成されている。レール溝１１ａ，１２ａの上部には、それぞれ上方に行くに従って前面側へ移行する傾斜部１１ｂ，１２ｂが形成され、シャッタ９が上昇して吹出口６を閉じる時にシャッタ９上部が前方へ１５ｍｍ程度移動して、シャッタ９上部を前面パネル７と同じ前面位置になるようにしている。
【００２０】
次にルーバユニット１０の下に設けられ、前面パネル７の後ろに配置されて、キャビネット本体１ａに取り付けられる後パネル１５について説明する。この後パネル１５は、キャビネット１ａに固定されて空気調和機本体１を強固にするとともに、シャッタ９を昇降させる部品などを取り付けるものである。またこの後パネル１５はシャッタ９を開ける際に、下降したシャッタ９を前面パネル７との間で収納する空間を形成している。
【００２１】
そして、この後パネル１５の中央部付近に、シャッタ９の昇降速度が２０〜３０ｍｍ／ｓ程度となるように設定したピニオン１６が覗くように配置されたモータ１７が、後パネル１５の裏側からネジで締結されている。なお、図８に示すようにピニオン１６はモータ１７の軸に差し込まれて固定される。そして、このピニオン１６の歯に噛合う上下一列のギア２０ａを左右幅の間の裏側に形成して（図６参照）、モータ１７によるピニオン１６の回転により、上下に移動する縦長で比較的に幅広く形成したラック２０を備えている。
【００２２】
そして、このラック２０をガイドする左右ほぼ対称形状で縦に長いラック用レール１８，１９がネジ等により後パネル１５の前面に固定され、ラック２０がラック用レール１８，１９により後パネル１５に上下に移動可能に保持されている（図４参照）。
【００２３】
なお、このラック２０の左右幅を比較的に広く形成しピニオン１６がラック２０の左右幅内に収納されるようにしている（図７参照）ので、ピニオン１６やピニオン１６の歯の結合部がラック２０内に隠れて保護され、噛合い部に異物などが入り込んで不具合が起きるようなことも防止できるとともに、比較的に幅広のラック２０によりラック２０が確実に上下移動できるようにしている。また、モータ１７を後パネル１５の背面側よりネジ締結構成にすることで、モータ１７とピニオン１６の取り外しが容易にできるようにしている。
【００２４】
次に上下に移動してシャッタ９を昇降させるラック２０の構造について、図５を用いてさらに詳細に説明する。ラック２０は上下に長い形状に形成され、左右側面の上部と下部とに左右に突出した、片側二個づつのスライドピン２０ｂを備える。この片側二個づつのスライドピン２０ｂが、ラック用レール１８，１９の上下に渡って形成した相対するレール溝１８ａ，１９ａに入り込んで案内されることでラック２０が左右方向及び前後方向にしっかりと保持された状態で、ピニオン１６の回転と逆回転によるギア２０ａの噛合いによってラック２０が後パネル１５前面に保持された状態で上下に昇降されるようにしている。
【００２５】
また、ラック２０の左右への移動防止は図３、図７に示すように、ピニオン１６の右側の上下に押えピン３０を後パネル１５側に設け、ピニオン１６の歯がラック２０のギア２０ａと噛合って上下に移動される際に、この押えピン３０にラック２０の裏面の上下に長く形成されたガイド壁２０ｆが押さえつけられることで、ラック２０が左右に動かないように保持された状態でピニオン１６の回転により上下に昇降できるようにしている。
【００２６】
また、プラスチック部材よりなるラック２０上部の両側には、それぞれシャッタ９と連結する連結部材である二個のカム２１を、前後方向へ回動自在に取り付けるラック側連結部である取付部２０ｃが一体に両脇へ突出して形成される。この取付部２０ｃは、それぞれ相対して上方へ立設するとともに、取付用の相対する取付穴２０ｄを備えた立設片２０ｅによりラック２０に一体に構成されている。また、取付部２０ｃの左右位置はシャッタ９の幅に対し左右バランスよくなるようにシャッタ９の左右方向の中央からほぼ左右同じ位置になるようにラック２０が配置される。
【００２７】
次にカム２１の詳細な構造について、図９により説明する。比較的に小さな部品である二個のカム２１はこの実施の形態では同じものを使用していて、ラック２０やシャッタ９の連結部で、回転しやすいようにすべりやすい材質のプラスチック部材により形成している。そしてカム２１は一方にラック２０へ回動自在に連結する取付部である左右両側へ突出したラック側取付部であるラック側取付軸２２と、他方にこのラック側取付軸２２と上下垂直方向に同一直線上でシャッタ９の下部と前後方向に回動自在に連結する取付部である左右両側へ突出したシャッタ側取付部であるシャッタ側取付軸２３とを備えている。
【００２８】
またラック側取付軸２２とシャッタ側取付軸２３との間で、ラック側取付軸２２とシャッタ側取付軸２３とを結ぶ直線より後側に形成され、ラック側取付軸２２とシャッタ側取付軸２３よりさらに左右側方へ１０ｍｍ程度づつ飛出した押え用の押え軸２４を一体に形成し、カム２１自体の形状を中心でほぼ左右対称に形成している。このように押え軸２４とラック側取付軸２２とシャッタ側取付軸２３の軸心のなす位置関係が三角形をなす配置にしている。また、ラック側取付軸２２の前後位置はシャッタ側取付軸２３より後ろ側になるようにラック側の取付部２０ｃとシャッタ側の取付部９ｅが配置される。
【００２９】
また、ラック側取付軸２２の形状はしっかりとラック２０の連結部である取付部２０ｃに連結されるように、左右の軸の根元部分２２ａが、取付穴２０ｄの径寸法より太く形成され（φ１０ｍｍ程度）、立設片２０ｅの間に挟まれるように形成される。
【００３０】
取付穴２０ｄに嵌まり込んで連結され、回転される段付された先端部２２ｂが、取付穴２０ｄとほぼ同じ径寸法に形成されている。そして、図１０に示すようにラック２０の左右の取付部２０ｃにカム２１のラック側取付軸２２を立設片２０ｅの間に押し込んでラック側取付軸２２の先端部２２ｂが取付穴２０ｄに嵌り、ラック２０に対しカム２１が前後へ回動自在にしっかりと連結されるようにしている。
【００３１】
また、シャッタ側取付軸２３の形状もほぼラック側取付軸２２とほぼ同じ太さや寸法に形成されている。カム２１のシャッタ９側の取付について説明する。図１１に示すシャッタ９を裏側から見た斜視図のように、プラスチック部材よりなるシャッタ９の下部には、シャッタ９の前面より後方に下がるように段付部９ｂがシャッタの全幅に渡って形成される。この段付部９ｂは、下方の下方段付部９ｃと、その上方で下方段付部９ｃよりさらに数ミリ程度後へ奥まった上方段付部９ｄの上下二段階に形成されている。
【００３２】
そして、このシャッタ９裏面の下部である段付部９ｂに、カム２１のシャッタ側取付軸２３を前後方向に回動自在に連結するシャッタ側連結部である取付部９ｅが左右に形成されている。この左右の取付部９ｅはラック２０の取付部２０ｃとほぼ同様の形状で、ラック２０の左右の取付部２０ｃと左右同じ位置に設けられる。ラック２０の取付部２０ｃと同様に、それぞれ相対して上方へ立設するとともに取付用の相対する取付穴９ｆを備えた立設片９ｇによりシャッタ９に一体に形成されている。
【００３３】
なお、この実施の形態では、取付穴２０ｄを先端部２２ｂと同じ丸穴形状のものを示したが、嵌め込んだ先端部２２ｂがしっかりと回転し外れないようにできるものであれば別の形状でもよく、例えば取付穴２０ｄをＵ字形状にして、嵌め込んだ先端部２２ｂがしっかりと回転し外れないように抑える突起などを形成して、ラック２０に一体に設けることでも作成できる。
【００３４】
そして、ラック側取付軸２２とほぼ同形状に形成されたシャッタ側取付軸２３もしっかりとシャッタ９の取付部９ｅに連結されるように、左右の軸の根元部分２３ａが、取付穴９ｆの径より太い径（φ１０ｍｍ程度）に形成され、取付片９ｇの間に挟まれる。
【００３５】
取付穴９ｆに嵌まり込んで連結され、回転される段付された先端部２３ｂが取付穴９ｆとほぼ同じ径寸法に形成されている。そして、ラック２０の取付部２０ｃと同様に、シャッタ９の左右の取付部９ｅにカム２１のシャッタ側取付軸２３を立設片９ｇの間に押し込んでシャッタ側取付軸２３の先端部２３ｂが取付穴９ｆに嵌り、シャッタ９に対してカム２１が前後方向へ回動自在にしっかりと連結され、カム２１を介してシャッタ９の下部がラック２０にしっかりと連結され、ラック２０によりシャッタ９下部の左右へ動きが規制されるようにしている。そして、このように、ラック２０の取付部２０ｃからカム２１を介し、シャッタ９の取付部９ｅが左右でほぼ上下の同一直線上に連結されるので、ラック２０の上昇によりシャッタ９の下部をスムーズに押し上げることができるようにしている。
【００３６】
次に、カム２１のラック側取付軸２２とシャッタ側取付軸２３よりさらに左右側方へ飛出し、かつ、ラック側取付軸２２とシャッタ側取付軸２３より太い径に形成された押え軸２４の働きについて説明する。相対する左右のラック用レール１８，１９には、押え軸２４が前方へ出てこないように押える前面壁１８ｃ，１９ｃを形成するため、図１２などに示すように上部から中程にかけて左右外側に形成されてラック２０用のレール溝１８ａ，１９ａと並ぶ押え軸用案内溝１８ｂ，１９ｂがラック用レール１８，１９に一体に形成されている。
【００３７】
そして、右側のカム２１の押え軸２４は、その右側の軸が右側のラック用レール１９の押え軸用案内溝１９ｂに入り込んで案内され、また左側のカム２１の押え軸２４はその左側の軸が左側のラック用レール１８の押え軸用案内溝１８ｂに入り込んで案内されようにしている。
【００３８】
また、この押え軸用案内溝１８ｂ，１９ｂの前面壁１８ｃ，１９ｃの上部の前面壁部分を上方に行くに従って前面側に移行させる開放傾斜部１８ｄ，１９ｄを形成するようにして、この開放傾斜部１８ｄ，１９ｄまで押え軸２４が上昇して来たときに押え軸２４が開放傾斜部１８ｄ，１９ｄで前面側にせり出すとともに、押え軸２４が前方へ開放されてカム２１が前方へ回転しシャッタ９の下部が前方へ押し出され、シャッタ９の上方段付部９ｄより上方が前面パネル７と同じ前面位置になるようになって、吹出口６をシャッタ９で塞ぐことができるようにしている。
【００３９】
さらに詳細にシャッタ９下部の動作を説明する。図１３は左側のラック用レール１８の上部におけるカム２１とシャッタ９の動作を説明する要部側断面説明図である。カム２１を一点鎖線で示している。また、ラック２０は上部のスライドピン２０ｂのみを一点鎖線で示している。そして、シャッタ９が、図中Ａの位置からＢの位置に上昇する際の動作を説明する。
【００４０】
シャッタ９が、図中Ａの位置程度までは前面パネル７より後方にシャッタ９が位置し、シャッタ９が前面パネルの後方を上昇してくる。この時、シャッタ９の自重を受けるラック側取付軸２２はシャッタ側取付軸２３より後方に位置するように取付部２０ｃを形成しているため、シャッタ９の自重によりカム２１には常に前方へ回転する力が加わるようになる。しかし、押え軸２４が押え軸用案内溝１８ｂの前面壁１８ｃにより押し付けらたままとなっているので、シャッタ９が上昇してもシャッタ９が前方へ移動することがない。
【００４１】
そして、さらにラック２０の上昇によりシャッタ９が図中Ｂの位置まで上昇すると、押え軸２４が押え軸用案内溝１８ｂの開放傾斜部１８ｄに達し、開放傾斜部１８ｄに沿って前方に移動し、シャッタ９の自重によりカム２１が前方へ回転して、シャッタ９の下部を押し出すためシャッタ９が前方へせり出し、シャッタ９の上方段付部９ｄより上方が前面パネル７と同じ前面位置で、吹出口６を塞ぐことができるようにしている。なお、図１３の説明では左側のラック用レール１８について説明したが、相対する右側のラック用レール１９でも同時にカム２１によりシャッタ９が同じように前方へせり出すように動作する。
【００４２】
また、シャッタ９の下部がこのように前方へ移動する際、シャッタ９の上部も上部のピン９ａが上記のごとく、シャッタ用レール１１，１２のレール溝１１ａ，１２ａの傾斜部１１ｂ，１２ｂにより前方へと移動し、シャッタ９の吹出口６を覆う部分が前面パネル７と前後同一面となる。
【００４３】
また、この実施の形態では、シャッタ９の下部に段付部９ｂを形成してシャッタ９が吹出口６を完全に塞いだ際に、段付部９ｂが前面パネル７の後に重なるようになるため、前面パネル７とシャッタ９の段付部９ｂより上方部分の隙間から空気調和機本体１の内部が見えることもない。
【００４４】
また、段付部９ｂも二段階にして上方段付部９ｄを、下方段付部９ｃより深く形成しているので、前面パネル７の上部とシャッタ９の段付部９ｂ上部の角が前後に移動しながら昇降する際に前面パネル７と干渉し難く、前面パネル７上部の形状を作りやすくできるとともに、深い上方段付部９ｄによりシャッタ９の左右幅方向の強度を上げることができる。
【００４５】
なお、上記では、シャッタ９が上昇して吹出口６を閉じる場合について説明したが、シャッタ９を開ける場合は、各部品がその逆の動作によりシャッタ９を後方に移動させて前面パネル７の後方に収納させることができるわけである。
【００４６】
また、この例では押え軸２４が所定の位置まで上昇する際に、カム２１の前方への回転を防止するとともに開放傾斜部１８ｄ，１９ｄで前方に回転できるように開放させる前面壁１８ｃ，１９ｃを形成するため、ラック用レール１８，１９に一体に押え軸用案内溝１８ｂ，１９ｂを形成し、部品数を少なくして作りやすく安価なものを示したが、ラック用レール１８，１９とは押え軸用案内溝１８ｂ，１９ｂを別体に形成してもよいし、前面壁１８ｃ，１９ｃ部分のみが形成されればよく、必ずしも溝形状でなくても形成できるものである。
【００４７】
次に、ラック２０とカム２１によりシャッタ９が左右にぶれることなくスムーズに昇降できる好適な寸法について説明する。図５に示すようにラック２０上部の左右両脇に突出して形成された、左右のカム２１とそれぞれ連結する連結部である左右の取付部２０ｃ間の寸法Ｅは、図１１で示すシャッタ９の幅Ｇ寸法に対して１／４〜２／４の範囲の比較的に狭い幅である。なおかつ、プラスッチク部材よりなるシャッタ９の裏側に一体に突出形成され、左右のカム２１の他方とそれぞれ連結する連結部である左右の取付部９ｅ間の寸法Ｆも同様に、シャッタ９の幅Ｇ寸法に対して１／４〜２／４の範囲の比較的に狭い幅で十分スムーズにシャッタ９を昇降できることがわかった。
【００４８】
そして、この左右カム２１の上下両側がそれぞれ連結されるラック２０の取付部２０ｃ間寸法Ｅと、シャッタ９の取付部９ｅ間寸法Ｆとがシャッタ９の幅寸法Ｇ寸法に対し１／４程度より狭いとラック２０の幅が狭くなりすぎてラック２０が傾きやすくなり、ラック２０の昇降が行い難くなるだけでなく、シャッタ９にカム２１からラック２０の昇降する力が伝わりにくく、スムーズにシャッタ９を押し上げることができ難くなる。
【００４９】
また、寸法Ｅと寸法ＦはＧ寸法の半分程度までがよい。取付部２０ｃ間寸法Ｅと、シャッタ９の取付部９ｅ間寸法Ｆとがシャッタ９の幅寸法Ｇ寸法に対し２／４より広くなると、ラック２０の左右幅が広くなってラック２０が大きくなり重くなり、傾きやすくなるとともに、大きく重いラック２０を昇降させるために強いトルクの大きなモータが必要になり無駄なエネルギーが必要になるなどの課題が生じる。
【００５０】
このため、ラック２０の取付部２０ｃ間隔寸法Ｅと、シャッタ９の取付部９ｅ間隔寸法Ｆとを、次式のようにシャッタ９の左右幅Ｇ寸法の１／４〜２／４の比較的に狭い範囲（約２５％〜約５０％の範囲）にするとよい。
（Ｇ＊１／４）≦Ｅ≦（Ｇ＊２／４）
（Ｇ＊１／４）≦Ｆ≦（Ｇ＊２／４）
このような寸法にすることで、ラック２０上部の連結部である左右の取付部２０ｃの傾きが防止され、左右のカム２１を介してスムーズにシャッタ９を押し上げることが可能で、シャッタ９の昇降をスムーズに行うことができる。
なお、寸法Ｅと寸法Ｆはカム２１により同じ左右位置になる。
【００５１】
このように、ラック２０の取付部２０ｃ間隔寸法Ｅと、シャッタ９の取付部９ｅ間隔寸法Ｆとを同じにし、左右全く同じ位置になるようにしているので、ラック２０の昇降する力が左右のカム２１を介してシャッタ９に伝わりやすく、スムーズにシャッタ９を昇降させることができる。
なお、取付部２０ｃ間隔寸法Ｅと取付部９ｅ間隔寸法Ｆは、カム２１の形状を変形させて若干違う寸法にしてよもよい。
【００５２】
なお一例として、シャッタ９幅Ｇ寸法を５００ｍｍとし、ラック２０取付部２０ｃ間寸法Ｅ及びシャッタ９取付部９ｅ間寸法Ｇをそれぞれ１９０ｍｍとしたもので、スムーズにラック２０の昇降によりシャッタ９を昇降させることが可能であった。
【００５３】
また、上記実施の形態では、カム２１の形状を左右ほぼ対称にして、左右のカム２１を同じものを使用して、組み付け間違えや量産による費用が安価なものを示したが、押え軸２４は、右側のカム２１は左側の押え軸２４は無くてもよく、また、左側のカム２１は右側の押え軸２４は無くてもよく、左右別々のカム形状としてもよい。
【００５４】
次に床置形空気調和機１００の運転動作と連動したシャッタ９の自動開閉動作の概要を図１４のフローチャートにより説明する。
（１）ステップ１０１で、床置形空気調和機１００のコントローラ部８の運転スイッチを押す。
（２）ステップ１０２で、モータ１７が始動して回転し、ラック２０が下降しシャッタ９が下がり吹出口６を開く。
（３）ステップ１０３で、図示しない検出センサなどによりシャッタ９が完全に開いたことを検出する。
（４）ステップ１０４で、シャッタ９が完全に開いたことを検出するとモータ１７を停止する。
（５）ステップ１０５で、送風ファン５の運転を開始し、図示しない冷媒サイクルなどによる冷房や暖房を行う。
（６）次いで、空気調和機の運転を終了する場合は、ステップ１０６でコントローラ部８から空気調和機の運転スイッチをＯＦＦにする。
（７）ステップ１０７で、送風ファン５の運転を停止し、冷媒サイクルなどによる冷房や暖房を停止する。
（８）ステップ１０８で、モータ１７を逆回転させてラック２０を上昇させ、シャッタ９を上げ吹出口６を閉じる。
（９）ステップ１０９で、図示しない検出センサなどによりシャッタ９が完全に閉じたことを検出する。
（１０）検出センサなどによりシャッタ９が完全に閉じたことを検出すると、ステップ１１０でモータ１７を停止し、次の運転指令があるまで床置形空気調和機１００の運転停止する。
このようにして自動でスムーズに開閉するシャッタ９を備えて意匠性がよく、かつ、埃が入り難い床置形空気調和機１００を得ることができる。
【００５５】
この実施の形態に係る空気調和機は、ラック側連結部間の寸法及びシャッタ側連結部間の寸法を、シャッタの左右幅の１／４〜２／４の範囲にしたことにより、シャッタをスムーズに開閉できる。
【００５６】
また、この実施の形態に係る空気調和機は、シャッタ用レールのレール溝の上部に形成され、上方に行くにしたがって前方へ傾斜した傾斜部と、カムのラック側取付軸とシャッタ側取付軸との間に形成され、ラック側取付軸及びシャッタ側取付軸より外側に飛び出した押え軸と、ラック用レールに設けられ、前面壁と、この前面壁の上部の部分を上方に行くに従って前面側に傾斜させた開放傾斜部とを有する押え軸用案内溝とを備えたことにより、シャッタと前面パネルとの前面を同一面にでき、意匠性がよい。
【００５７】
また、この実施の形態に係る空気調和機は、シャッタの下部に段付部を形成し、シャッタが閉じた時に、シャッタの段付部より上の部分が前面パネルと略同一面となるようにしたことにより、隙間から内部が見えない。
【００５８】
また、この実施の形態に係る空気調和機は、段付部は、下方段付部と、下方段付部よりさらに奥に深い上部段付部とを有することにより、シャッタの前面パネルとの干渉を抑制し、且つシャッタの強度が向上する。
【００５９】
また、この実施の形態に係る空気調和機は、モータにより駆動され、ラックのギアに噛み合う歯を有するピニオンをラックの左右幅内に設けることにより、ピニオンの噛合い部に異物などが入り込んで不具合が起きるようなことも防止できる。
【図面の簡単な説明】
【００６０】
【図１】実施の形態１を示す図で、床置形空気調和機１００を示す斜視図。
【図２】実施の形態１を示す図で、床置形空気調和機１００の部分正面図（（ａ）はシャッタ９を閉じた状態、（ｂ）はシャッタ９を開いた状態）。
【図３】実施の形態１を示す図で、床置形空気調和機１００の内部部品や吸込グリル２などを省略して示す分解斜視図。
【図４】実施の形態１を示す図で、床置形空気調和機１００のルーバユニット１０と後パネル１５の構成を説明する斜視図。
【図５】実施の形態１を示す図で、床置形空気調和機１００のラック２０を示す正面図。
【図６】実施の形態１を示す図で、床置形空気調和機１００のラック２０を裏側から見た斜視図。
【図７】実施の形態１を示す図で、床置形空気調和機１００のラック２０とピニオン１６の噛合いをラック２０を一部破断して説明する要部斜視図。
【図８】実施の形態１を示す図で、床置形空気調和機１００のモータ１７とピニオン１６の取り付けを説明する斜視図。
【図９】実施の形態１を示す図で、床置形空気調和機１００のラック２０とシャッタ９を連結するカム２１を示す図（（ａ）は正面図、（ｂ）は斜視図）。
【図１０】実施の形態１を示す図で、床置形空気調和機１００のラック２０とカム２１との連結部を示す要部斜視図。
【図１１】実施の形態１を示す図で、床置形空気調和機１００のシャッタ９を裏側から見た斜視図。
【図１２】実施の形態１を示す図で、床置形空気調和機１００のシャッタ用レール１１，１２とラック用レール１８，１９を説明する斜視図。
【図１３】実施の形態１を示す図で、床置形空気調和機１００のシャッタ９下部とカム２１とラック用レール１８による動作を説明する要部側断面図。
【図１４】実施の形態１を示す図で、床置形空気調和機１００の運転によるシャッタ９の開閉動作を説明するフローチャート図である。
【符号の説明】
【００６１】
１  空気調和機本体、２  吸込グリル、３  吸込口、４  フィルタ、６  吹出口、７  前面パネル、８  コントローラ部、９  シャッタ、９ａ  ピン、９ｂ  段付部、９ｃ  下方段付部、９ｄ  上方段付部、９ｅ  取付部、１０  ルーバユニット、１０ａ  水平ルーバ、１１  シャッタ用レール、１１ａ  レール溝、１１ｂ  傾斜部、１２  シャッタ用レール、１２ａ  レール溝、１２ｂ  傾斜部、１３  サイドカバー、１４  サイドカバー、１５  後パネル、１６  ピニオン、１７  モータ、１８  ラック用レール、１８ａ  レール溝、１８ｂ  押え軸用案内溝、１８ｃ  前面壁、１８ｄ  開放傾斜部、１９  ラック用レール、１９ａ  レール溝、１９ｂ  押え軸用案内溝、１９ｃ  前面壁、１９ｄ  開放傾斜部、２０  ラック、２０ａ  ギア、２０ｂ  スライドピン、２０ｃ  取付部、２０ｄ  取付穴、２０ｅ  立設片、２０ｆ  ガイド壁、２１  カム、２２  ラック側取付軸、２２ａ  根元部分、２２ｂ  先端部、２３  シャッタ側取付軸、２３ａ  根元部分、２３ｂ  先端部、２４  押え軸、３０  押えピン、１００  床置形空気調和機。
【図１】
2008157575.tif 000003
【図２】
2008157575.tif 000004
【図３】
2008157575.tif 000005
【図４】
2008157575.tif 000006
【図５】
2008157575.tif 000007
【図６】
2008157575.tif 000008
【図７】
2008157575.tif 000009
【図８】
2008157575.tif 000010
【図９】
2008157575.tif 000011
【図１０】
2008157575.tif 000012
【図１１】
2008157575.tif 000013
【図１２】
2008157575.tif 000014
【図１３】
2008157575.tif 000015
【図１４】
2008157575.tif 000016